(57)【要約】【課題】消費電力を削減することができるＭＷＰＯＮシステムを提供する。【解決手段】例えば、本システムに用いられるＯＮＵ２０は、光回線１５から受信した光信号の中から予め定められた波長の光信号を電気信号に変換するＯ／Ｅ２１と、予め定められたタイムスロットにおいて、Ｏ／Ｅ２１によって変換された電気信号からデータを復号するＯＮＵＬＳＩ２３と、ＯＮＵ２０の省電力モードを制御する電源制御部２２とを備え、予め定められたタイムスロットにおいて光回線１５から予め定められた波長の光信号によってデータが送信されていない場合に、ＯＮＵ２０を省電力モードに設定し、予め定められたタイムスロットにおいて光回線１５から予め定められた波長の光信号によってデータが送信された場合に、ＯＮＵ２０の省電力モードを解除する。【選択図】図２
2012015962.tif 000002
【特許請求の範囲】
【請求項１】
時分割多重および波長多重を組み合わせたＭＷＰＯＮ（Multi-Wave Passive Optical Network）システムに用いられるＯＮＵ（Optical Network Unit）であって、
光回線から受信した光信号の中から予め定められた波長の光信号を電気信号に変換する光電変換部と、
予め定められたタイムスロットにおいて、前記光電変換部によって変換された電気信号からデータを復号するＯＮＵ処理部と、
当該ＯＮＵの省電力モードを制御する電源制御部と
を備え、
前記電源制御部は、
予め定められたタイムスロットにおいて前記光回線から予め定められた波長の光信号によってデータが送信されていない場合に、当該ＯＮＵを省電力モードに設定し、
予め定められたタイムスロットにおいて前記光回線から予め定められた波長の光信号によってデータが送信された場合に、当該ＯＮＵの省電力モードを解除することを特徴とするＯＮＵ。
【請求項２】
請求項１に記載のＯＮＵであって、
接続されている外部機器毎に設けられ、当該外部機器との間でデータを送受信するデータ送受信部と、
前記ＯＮＵ処理部によって復号されたデータを、当該データの宛先の外部機器に接続されているデータ送受信部に渡すと共に、いずれかの前記データ送受信部から受け取ったデータを前記ＯＮＵ処理部に渡すデータスイッチと
をさらに備え、
前記電源制御部は、
予め定められたタイムスロットにおいて前記光回線から予め定められた波長の光信号によってデータが送信されておらず、かつ、それぞれの前記データ送受信部に接続されている外部機器が全て停止中の場合に、前記データスイッチへの電源供給を停止することにより当該ＯＮＵを省電力モードに設定し、
予め定められたタイムスロットにおいて前記光回線から予め定められた波長の光信号によってデータが送信された場合、または、それぞれの前記データ送受信部に接続されている外部機器の少なくともいずれかが起動した場合に、前記データスイッチへの電源供給を再開することにより当該ＯＮＵの省電力モードを解除することを特徴とするＯＮＵ。
【請求項３】
時分割多重および波長多重を組み合わせたＭＷＰＯＮ（Multi-Wave Passive Optical Network）システムであって、
ＯＬＴ（Optical Line Terminal）と、
前記ＯＬＴと光回線を介して接続される集線装置と
を備え、
前記ＯＬＴは、
単位時間当たりに前記集線装置へ送信されるデータの総量を示す通信トラフィックの閾値に対応付けて、当該閾値を通信トラフィックが超えた場合に追加すべき波長およびタイムスロットの組み合わせを示す情報、および、当該閾値を通信トラフィックが下回った場合に使用を解除すべき波長およびタイムスロットの組み合わせを示す情報を格納する閾値格納部と、
基幹通信回線から受信した電気信号を所定のタイムスロットにおいて所定の波長の光信号に変換する信号変換部と、
前記受動光網制御部からの波長毎の光信号を多重化して光回線に出力する波長合成部と、
前記集線装置へ送信されているデータの通信トラフィックを測定するトラフィック測定部と、
前記トラフィック測定部によって測定された通信トラフィックに基づいて前記閾値格納部を参照し、
当該通信トラフィックが閾値を超えた場合に、当該閾値に対応付けられている、追加すべき波長およびタイムスロットの組み合わせを示す情報を前記閾値格納部から抽出し、抽出した波長およびタイムスロットの組み合わせをさらに用いて基幹通信回線から受信した電気信号を光信号に変換すると共に当該タイムスロットにおいて当該波長の光信号を用いて起動指示を前記集線装置へ送るよう前記信号変換部に指示し、
当該通信トラフィックが閾値を下回った場合に、当該閾値に対応付けられている、使用を解除すべき波長およびタイムスロットの組み合わせを示す情報を前記閾値格納部から抽出し、抽出した波長およびタイムスロットの組み合わせの使用を停止すると共に当該タイムスロットにおいて当該波長の光信号を用いて停止指示を前記集線装置へ送るよう前記信号変換部に指示する帯域制御部と
を有し、
前記集線装置は、
波長およびタイムスロットの組み合わせ毎に、当該タイムスロットにおいて前記ＯＬＴから当該波長の光信号によって送信されたデータを復号して外部の機器へ出力する複数のＯＮＵ（Optical Network Unit）を有し、
前記複数のＯＮＵのそれぞれは、
前記光回線を介して前記ＯＬＴから受信した光信号の中から予め定められた波長の光信号を電気信号に変換する光電変換部と、
予め定められたタイムスロットにおいて、前記光電変換部によって変換された電気信号からデータを復号するＯＮＵ処理部と、
予め定められたタイムスロットにおいて前記光回線を介して前記ＯＬＴから予め定められた波長の光信号によって停止指示が送信された場合に、自ＯＮＵを省電力モードに設定し、
予め定められたタイムスロットにおいて前記光回線を介して前記ＯＬＴから予め定められた波長の光信号によって起動指示が送信された場合に、自ＯＮＵの省電力モードを解除する電源制御部と
を含むことを特徴とするＭＷＰＯＮシステム。
【請求項４】
時分割多重および波長多重を組み合わせたＭＷＰＯＮ（Multi-Wave Passive Optical Network）システムであって、
ＯＬＴ（Optical Line Terminal）と、
前記ＯＬＴと光回線を介して接続される集線装置と
を備え、
前記ＯＬＴは、
前記集線装置へ送信されている単位時間当たりのデータの総量を示す通信トラフィックの閾値に対応付けて、当該閾値を通信トラフィックが超えた場合に追加すべき波長およびタイムスロットの組み合わせを示す情報、および、当該閾値を通信トラフィックが下回った場合に使用を解除すべき波長およびタイムスロットの組み合わせを示す情報を格納する閾値格納部と、
基幹通信回線から受信した電気信号を所定のタイムスロットにおいて所定の波長の光信号に変換する信号変換部と、
前記受動光網制御部からの波長毎の光信号を多重化して光回線に出力する波長合成部と、
前記集線装置へ送信されている通信トラフィックを測定するトラフィック測定部と、
前記トラフィック測定部によって測定された通信トラフィックに基づいて前記閾値格納部を参照し、
当該通信トラフィックが閾値を超えた場合に、当該閾値に対応付けられている、追加すべき波長およびタイムスロットの組み合わせを示す情報を前記閾値格納部から抽出し、抽出した波長およびタイムスロットの組み合わせをさらに用いて基幹通信回線から受信した電気信号を光信号に変換するよう前記信号変換部に指示すると共に、抽出した波長およびタイムスロットの組み合わせを示す情報を追加情報として前記集線装置へ送り、
当該通信トラフィックが閾値を下回った場合に、当該閾値に対応付けられている、使用を解除すべき波長およびタイムスロットの組み合わせを示す情報を前記閾値格納部から抽出し、抽出した波長およびタイムスロットの組み合わせの使用を停止するよう前記信号変換部に指示すると共に、抽出した波長およびタイムスロットの組み合わせを示す情報を停止情報として前記集線装置へ送る帯域制御部と
を有し、
前記集線装置は、
波長およびタイムスロットの組み合わせ毎に、当該タイムスロットにおいて前記ＯＬＴから当該波長の光信号によって送信されたデータを復号して外部の機器へ出力する複数のＯＮＵ（Optical Network Unit）と、
前記ＯＬＴから追加情報を受信した場合に、当該追加情報で示される波長およびタイムスロットの組み合わせに対応するＯＮＵを起動し、
前記ＯＬＴから停止情報を受信した場合に、当該停止情報で示される波長およびタイムスロットの組み合わせに対応するＯＮＵの稼動を停止するＯＮＵ制御部と
を有すること特徴とするＭＷＰＯＮシステム。
【請求項５】
請求項４に記載のＭＷＰＯＮシステムであって、
前記ＯＬＴ内の前記帯域制御部は、
予め定められたタイムスロットにおいて予め定められた波長の光信号によって前記追加情報および前記停止情報を前記集線装置へ送信し、
前記集線装置内のＯＮＵの中で、前記追加情報および前記停止情報が送信されるタイムスロットおよび波長の組み合わせの光信号に割り当てられているＯＮＵは、前記追加情報および前記停止情報を前記ＯＬＴから受信した場合に、受信したこれらの情報を前記ＯＮＵ制御部へ送ること特徴とするＭＷＰＯＮシステム。
【発明の詳細な説明】
【技術分野】
【０００１】
本発明は、時分割多重および波長多重を組み合わせたＭＷＰＯＮ（Multi-Wave Passive Optical Network）システムに関する。
【背景技術】
【０００２】
ＰＯＮ（Passive Optical Network）は、上位の通信網と接続される光多重集線装置（ＯＬＴ：Optical Line Terminator）と、複数の加入者の端末（ＰＣや電話）を収容する光網終端装置（ＯＮＵ：Optical Network Unit）とを、基幹光ファイバと光スプリッタと複数の支線光ファイバとを含む光受動網で接続したシステムである。具体的には、各ＯＮＵに接続された端末からの信号を光信号に変換し、当該光信号を光スプリッタにより光学（時分割）多重してＯＬＴに送り、ＯＬＴが各ＯＮＵからの信号を通信処理して上位の通信網に送信するものである。
【０００３】
ＯＬＴからＯＮＵに送信されるデータは、下り信号と呼ばれる。下り信号は、１本の幹線光ファイバから光スプリッタで接続されるすべての支線光ファイバを経由してすべてのＯＮＵに届けられる。各ＯＮＵでは、データから自分宛のデータのみ取り出す。したがって、特定のＯＮＵだけに下り信号が占有されないよう、各ＯＮＵ毎に使用できる下りの帯域（データ送信位置／時間）を事前にＯＬＴで割り当てる。
【０００４】
また、複数のＯＮＵからＯＬＴに向けて伝送される信号は、上り信号と呼ばれる。上り信号及び下り信号には、例えば、イーサネット（登録商標）フレーム信号が送信される。イーサネットフレーム信号が送信されるＰＯＮはＥＰＯＮと呼ばれる。また、ＭＷＰＯＮ（Multi-Wave EPON）は、ＥＰＯＮベースで、波長多重による、一本のファイバの伝送帯域を４倍にするＰＯＮシステムである。
【０００５】
一般的に、ＥＰＯＮでは光信号の波長として、下りでは1490nmが、上りでは1310nmが、それぞれ用いられる。ＭＷＰＯＮでは下りと上り両方の光信号に波長多重技術（ＷＤＭ）が用いられる。ＯＬＴとＯＮＵのＰＯＮサイドにある光トランシーバは波長多重された光信号を送受信することができる。ＭＷＰＯＮには、上り４波長と下り４波長で全部で８つの波長が使用できるものが存在する。例えば、下記の特許文献１には、波長多重技術が適用されたＰＯＮシステムが開示されている。
【先行技術文献】
【特許文献】
【０００６】
【特許文献１】特開２００９−８１８８７号公報
【発明の概要】
【発明が解決しようとする課題】
【０００７】
ところで、大容量の通信帯域を提供する方法として、複数のＯＮＵを用いて、その合計の帯域を提供する場合がある。例えば、ビジネス向けのＭＷＰＯＮでは、企業等の加入者の建物内にそれぞれの波長毎に１Ｇｂｐｓの帯域を有するＯＮＵを４台設置し、この４台のＯＮＵを用いることにより、合計で４Ｇｂｐｓの通信帯域を利用することができる。
【０００８】
しかし、４Ｇｂｐｓの通信帯域が必要であるとしても、それは常に必要となることは少なく、大半の時間帯は４Ｇｂｐｓよりも少ない通信帯域で十分な場合が多い。少ない通信帯域であれば、４台全てのＯＮＵを稼動させる必要はない。しかし、いつ４Ｇｂｐｓの通信帯域が必要になるかわからないため、現状では全てのＯＮＵを常時稼動させておくしかない。そのため、大半の時間帯では余分なＯＮＵの稼動によって消費される電力が無駄となっている。
【０００９】
本発明は上記事情を鑑みてなされたものであり、本発明の目的は、ＭＷＰＯＮシステムにおける消費電力を削減することにある。
【課題を解決するための手段】
【００１０】
上記課題を解決するために、本発明の第一の態様は、時分割多重および波長多重を組み合わせたＭＷＰＯＮ（Multi-Wave Passive Optical Network）システムに用いられるＯＮＵ（Optical Network Unit）であって、
光回線から受信した光信号の中から予め定められた波長の光信号を電気信号に変換する光電変換部と、
予め定められたタイムスロットにおいて、前記光電変換部によって変換された電気信号からデータを復号するＯＮＵ処理部と、
当該ＯＮＵの省電力モードを制御する電源制御部と
を備え、
前記電源制御部は、
予め定められたタイムスロットにおいて前記光回線から予め定められた波長の光信号によってデータが送信されていない場合に、当該ＯＮＵを省電力モードに設定し、
予め定められたタイムスロットにおいて前記光回線から予め定められた波長の光信号によってデータが送信された場合に、当該ＯＮＵの省電力モードを解除することを特徴とするＯＮＵを提供する。
【００１１】
また、本発明の第二の態様は、時分割多重および波長多重を組み合わせたＭＷＰＯＮ（Multi-Wave Passive Optical Network）システムであって、
ＯＬＴ（Optical Line Terminal）と、
前記ＯＬＴと光回線を介して接続される集線装置と
を備え、
前記ＯＬＴは、
単位時間当たりに前記集線装置へ送信されるデータの総量を示す通信トラフィックの閾値に対応付けて、当該閾値を通信トラフィックが超えた場合に追加すべき波長およびタイムスロットの組み合わせを示す情報、および、当該閾値を通信トラフィックが下回った場合に使用を解除すべき波長およびタイムスロットの組み合わせを示す情報を格納する閾値格納部と、
基幹通信回線から受信した電気信号を所定のタイムスロットにおいて所定の波長の光信号に変換する信号変換部と、
前記受動光網制御部からの波長毎の光信号を多重化して光回線に出力する波長合成部と、
前記集線装置へ送信されているデータの通信トラフィックを測定するトラフィック測定部と、
前記トラフィック測定部によって測定された通信トラフィックに基づいて前記閾値格納部を参照し、
当該通信トラフィックが閾値を超えた場合に、当該閾値に対応付けられている、追加すべき波長およびタイムスロットの組み合わせを示す情報を前記閾値格納部から抽出し、抽出した波長およびタイムスロットの組み合わせをさらに用いて基幹通信回線から受信した電気信号を光信号に変換すると共に当該タイムスロットにおいて当該波長の光信号を用いて起動指示を前記集線装置へ送るよう前記信号変換部に指示し、
当該通信トラフィックが閾値を下回った場合に、当該閾値に対応付けられている、使用を解除すべき波長およびタイムスロットの組み合わせを示す情報を前記閾値格納部から抽出し、抽出した波長およびタイムスロットの組み合わせの使用を停止すると共に当該タイムスロットにおいて当該波長の光信号を用いて停止指示を前記集線装置へ送るよう前記信号変換部に指示する帯域制御部と
を有し、
前記集線装置は、
波長およびタイムスロットの組み合わせ毎に、当該タイムスロットにおいて前記ＯＬＴから当該波長の光信号によって送信されたデータを復号して外部の機器へ出力する複数のＯＮＵ（Optical Network Unit）を有し、
前記複数のＯＮＵのそれぞれは、
前記光回線を介して前記ＯＬＴから受信した光信号の中から予め定められた波長の光信号を電気信号に変換する光電変換部と、
予め定められたタイムスロットにおいて、前記光電変換部によって変換された電気信号からデータを復号するＯＮＵ処理部と、
予め定められたタイムスロットにおいて前記光回線を介して前記ＯＬＴから予め定められた波長の光信号によって停止指示が送信された場合に、自ＯＮＵを省電力モードに設定し、
予め定められたタイムスロットにおいて前記光回線を介して前記ＯＬＴから予め定められた波長の光信号によって起動指示が送信された場合に、自ＯＮＵの省電力モードを解除する電源制御部とを含むことを特徴とするＭＷＰＯＮシステムを提供する。
【００１２】
また、本発明の第三の態様は、時分割多重および波長多重を組み合わせたＭＷＰＯＮ（Multi-Wave Passive Optical Network）システムであって、
ＯＬＴ（Optical Line Terminal）と、
前記ＯＬＴと光回線を介して接続される集線装置と
を備え、
前記ＯＬＴは、
前記集線装置へ送信されている単位時間当たりのデータの総量を示す通信トラフィックの閾値に対応付けて、当該閾値を通信トラフィックが超えた場合に追加すべき波長およびタイムスロットの組み合わせを示す情報、および、当該閾値を通信トラフィックが下回った場合に使用を解除すべき波長およびタイムスロットの組み合わせを示す情報を格納する閾値格納部と、
基幹通信回線から受信した電気信号を所定のタイムスロットにおいて所定の波長の光信号に変換する信号変換部と、
前記受動光網制御部からの波長毎の光信号を多重化して光回線に出力する波長合成部と、
前記集線装置へ送信されている通信トラフィックを測定するトラフィック測定部と、
前記トラフィック測定部によって測定された通信トラフィックに基づいて前記閾値格納部を参照し、
当該通信トラフィックが閾値を超えた場合に、当該閾値に対応付けられている、追加すべき波長およびタイムスロットの組み合わせを示す情報を前記閾値格納部から抽出し、抽出した波長およびタイムスロットの組み合わせをさらに用いて基幹通信回線から受信した電気信号を光信号に変換するよう前記信号変換部に指示すると共に、抽出した波長およびタイムスロットの組み合わせを示す情報を追加情報として前記集線装置へ送り、
当該通信トラフィックが閾値を下回った場合に、当該閾値に対応付けられている、使用を解除すべき波長およびタイムスロットの組み合わせを示す情報を前記閾値格納部から抽出し、抽出した波長およびタイムスロットの組み合わせの使用を停止するよう前記信号変換部に指示すると共に、抽出した波長およびタイムスロットの組み合わせを示す情報を停止情報として前記集線装置へ送る帯域制御部と
を有し、
前記集線装置は、
波長およびタイムスロットの組み合わせ毎に、当該タイムスロットにおいて前記ＯＬＴから当該波長の光信号によって送信されたデータを復号して外部の機器へ出力する複数のＯＮＵ（Optical Network Unit）と、
前記ＯＬＴから追加情報を受信した場合に、当該追加情報で示される波長およびタイムスロットの組み合わせに対応するＯＮＵを起動し、
前記ＯＬＴから停止情報を受信した場合に、当該停止情報で示される波長およびタイムスロットの組み合わせに対応するＯＮＵの稼動を停止するＯＮＵ制御部と
を有することを特徴とするＭＷＰＯＮシステムを提供する。
【発明の効果】
【００１３】
本発明によれば、ＭＷＰＯＮシステムにおける消費電力を削減することができる。
【図面の簡単な説明】
【００１４】
【図１】第１の実施形態におけるＭＷＰＯＮシステム１０の構成の一例を示すシステム構成図である。
【図２】第１の実施形態におけるＯＮＵ２０の機能構成の一例を示すブロック図である。
【図３】電源制御部２２の動作の一例を示すフローチャートである。
【図４】第２の実施形態におけるＭＷＰＯＮシステム３０の構成の一例を示すシステム構成図である。
【図５】閾値格納部４３内に格納されるデータの構造の一例を示す図である。
【図６】第２の実施形態におけるＯＮＵ５２の機能構成の一例を示すブロック図である。
【図７】第２の実施形態における帯域制御部４２の動作の一例を示すフローチャートである。
【図８】第２の実施形態における各ＯＮＵ５２内の電源制御部５２１の動作の一例を示すフローチャートである。
【図９】第３の実施形態におけるＭＷＰＯＮシステム３０の構成の一例を示すシステム構成図である。
【図１０】第３の実施形態におけるＯＮＵ５３−１の機能構成の一例を示すブロック図である。
【図１１】第３の実施形態におけるＯＮＵ５３−２〜４の機能構成の一例を示すブロック図である。
【図１２】ＯＮＵ制御部５４の機能構成の一例を示すブロック図である。
【図１３】ＯＮＵ情報格納部５４０内に格納されるデータの構造の一例を示す図である。
【図１４】第３の実施形態における帯域制御部４２の動作の一例を示すフローチャートである。
【図１５】ＯＮＵ制御部５４の動作の一例を示すフローチャートである。
【発明を実施するための形態】
【００１５】
まず、本発明の第１の実施形態について図面を参照しながら説明する。
【００１６】
図１は、第１の実施形態におけるＭＷＰＯＮシステム１０の構成の一例を示すシステム構成図である。ＭＷＰＯＮシステム１０は、ＯＬＴ１２と、それぞれのユーザ宅１７に設けられた複数のＯＮＵ２０とを備える。
【００１７】
ＯＬＴ１２は、ＰＯＮカード１３および光カプラ１４を有する。ＰＯＮカード１３は、ユーザ毎に予め割り当てられたタイムスロットおよび波長の組み合わせに基づいて、基幹回線１１から受信したデータを、当該データの宛先のユーザに割り当てられているタイムスロットにおいて、当該ユーザに割り当てられている波長の光信号に変換して光カプラ１４へ送る。また、ＰＯＮカード１３は、光カプラ１４から受け取ったそれぞれの波長の光信号を電気信号に変換して基幹回線１１へ送出する。
【００１８】
光カプラ１４は、ＰＯＮカード１３から受け取ったそれぞれの波長の光信号を波長多重して光回線１５へ送出する。また、光カプラ１４は、光回線１５から受信した光信号をそれぞれの波長の光信号に多重分離してＰＯＮカード１３へ送る。
【００１９】
光カプラ１６は、光回線１５を介してＯＬＴ１２から受信した光信号をそれぞれの波長の光信号に多重分離し、それぞれの波長の光信号を、当該波長の光信号が割り当てられているユーザ宅１７内のＯＮＵ２０へ送信する。また、光カプラ１６は、それぞれのユーザ宅１７内のＯＮＵ２０から受信した光信号を波長多重して光回線１５へ送出する。
【００２０】
それぞれのユーザ宅１７内には、ＯＮＵ２０および１つ以上の通信機器１８が設けられている。ＯＮＵ２０は、光カプラ１６を介してＯＬＴ１２から送信された光信号を受信し、予め割り当てられたタイムスロットにおいて当該光信号によって送信されたデータを電気信号に変換して復号し、復号したデータを通信機器１８へ送る。また、ＯＮＵ２０は、通信機器１８から受け取ったデータを符号化し、光信号に変換して光カプラ１６へ送信する。
【００２１】
図２は、第１の実施形態におけるＯＮＵ２０の機能構成の一例を示すブロック図である。ＯＮＵ２０は、光電変換部（Ｏ／Ｅ）２１、電源制御部２２、ＯＮＵＬＳＩ２３、ギガビットイーサネット（登録商標）スイッチ（ＧｂＥＳＷ）２４、および１つ以上の物理コネクタ（ＰＨＹ）２５を有する。
【００２２】
Ｏ／Ｅ２１は、光カプラ１６から受信した波長の光信号を電気信号に変換すると共に、ＯＮＵＬＳＩ２３から受け取った電気信号のデータを、自ＯＮＵ２０に割り当てられた波長の光信号に変換して光カプラ１６へ送出する。
【００２３】
ＯＮＵＬＳＩ２３は、予め定められたタイムスロットにおいて、Ｏ／Ｅ２１によって変換された電気信号からデータを復号し、復号したデータをＧｂＥＳＷ２４へ送ると共に、ＧｂＥＳＷ２４から受け取ったデータを符号化してＯ／Ｅ２１へ送る。また、ＯＮＵＬＳＩ２３は、Ｏ／Ｅ２１によって変換された電気信号からデータを復号できた場合に、データを受信した旨を電源制御部２２に通知する。
【００２４】
それぞれのＰＨＹ２５は、接続されている通信機器１８毎に設けられており、対応する通信機器１８との間でデータを送受信する。また、それぞれのＰＨＹ２５は、接続先の通信機器１８が起動した場合にその旨を電源制御部２２に通知し、接続先の通信機器１８が稼動を停止した場合にその旨を電源制御部２２に通知する。
【００２５】
ＧｂＥＳＷ２４は、ＯＮＵＬＳＩ２３によって復号されたデータを、当該データの宛先の通信機器１８に接続されているＰＨＹ２５を介して当該通信機器１８へ送る。また、ＧｂＥＳＷ２４は、各通信機器１８から、対応するＰＨＹ２５を介してデータを受け取った場合に、受け取ったデータをＯＮＵＬＳＩ２３へ送る。
【００２６】
電源制御部２２は、ＯＬＴ１２からデータを受信したことをＯＮＵＬＳＩ２３より通知されていない場合、または、通信機器１８が稼動を停止したことを全てのＰＨＹ２５から通知された場合に、ＧｂＥＳＷ２４への電源供給を停止することにより、ＯＮＵ２０を省電力モードにする。
【００２７】
また、電源制御部２２は、ＯＬＴ１２からからデータを受信したことをＮＵＬＳＩ２３より通知された場合、または、通信機器１８が起動したことをいずれかのＰＨＹ２５から通知された場合に、ＧｂＥＳＷ２４への電源供給を再開することにより、ＯＮＵ２０の省電力モードを解除する。
【００２８】
なお、本実施形態において、ＧｂＥＳＷ２４への電源供給を開始した後に、全ての通信機器１８が稼動を停止した場合、予め定められた時間（例えば数分間程度）が経過するまでの間に、ＯＬＴ１２からデータを受信したことをＯＮＵＬＳＩ２３より通知されなければ、電源制御部２２は、ＧｂＥＳＷ２４への電源供給を停止することにより、ＯＮＵ２０を省電力モードにする。
【００２９】
また、本実施形態において、電源制御部２２は、ＧｂＥＳＷ２４への電源供給を制御することによりＯＮＵ２０の省電力モードを制御するが、本発明はこれに限られず、ＯＮＵ２０内のＣＰＵ（Central Processing Unit）をスリープモードにするなど、他の方法によってＯＮＵ２０の消費電力を制御することにより、ＯＮＵ２０の省電力モードを制御するようにしてもよい。
【００３０】
図３は、電源制御部２２の動作の一例を示すフローチャートである。例えば、ＯＮＵ２０に所定の設定が施された後に電源が投入される等のタイミングで、電源制御部２２は本フローチャートに示す動作を開始する。なお、ＯＮＵ２０の初期状態において、ＧｂＥＳＷ２４には電源が供給されておらず、ＯＮＵ２０は省電力モードで動作している。
【００３１】
まず、電源制御部２２は、ＯＬＴ１２からデータを受信した旨をＯＮＵＬＳＩ２３より通知されたか否かを判定する（Ｓ１００）。データを受信した旨をＯＮＵＬＳＩ２３より通知されていない場合（Ｓ１００：Ｎｏ）、電源制御部２２は、いずれかの通信機器１８が起動した旨をＰＨＹ２５から通知されたか否かを判定する（Ｓ１０１）。
【００３２】
いずれかの通信機器１８が起動した旨をＰＨＹ２５から通知された場合（Ｓ１０１：Ｙｅｓ）、電源制御部２２は、ステップＳ１０２に示す処理を実行する。一方、通信機器１８が起動した旨をいずれのＰＨＹ２５からも通知されていない場合（Ｓ１０１：Ｎｏ）、電源制御部２２は、再びステップＳ１００に示した処理を実行する。
【００３３】
ステップＳ１００において、データを受信した旨をＯＮＵＬＳＩ２３より通知された場合（Ｓ１００：Ｙｅｓ）、電源制御部２２は、ＧｂＥＳＷ２４に電源を供給し、ＯＮＵ２０の省電力モードを解除する（Ｓ１０２）。そして、電源制御部２２は、接続されている全ての通信機器１８が稼動を停止したか否かを判定する（Ｓ１０３）。接続されている全ての通信機器１８が稼動を停止していない場合（Ｓ１０３：Ｎｏ）、電源制御部２２は、再びステップＳ１０３に示した処理を実行する。
【００３４】
接続されている全ての通信機器１８が稼動を停止した場合（Ｓ１０３：Ｙｅｓ）、電源制御部２２は、内蔵タイマをリセットスタートさせる（Ｓ１０４）。そして、電源制御部２２は、データを受信した旨をＯＮＵＬＳＩ２３より通知されたか否かを判定する（Ｓ１０５）。データを受信した旨をＯＮＵＬＳＩ２３より通知された場合（Ｓ１０５：Ｙｅｓ）、電源制御部２２は、内蔵タイマをリセットスタートさせて（Ｓ１０６）、再びステップＳ１０５に示した処理を実行する。
【００３５】
一方、データを受信した旨をＯＮＵＬＳＩ２３より通知されていない場合（Ｓ１０５：Ｎｏ）、電源制御部２２は、いずれかの通信機器１８が起動した旨をＰＨＹ２５から通知されたか否かを判定する（Ｓ１０７）。いずれかの通信機器１８が起動した旨をＰＨＹ２５から通知された場合（Ｓ１０７：Ｙｅｓ）、電源制御部２２は、内蔵タイマによるカウントを停止させて再びステップＳ１０３に示す処理を実行する。
【００３６】
一方、通信機器１８が起動した旨をいずれのＰＨＹ２５からも通知されていない場合（Ｓ１０７：Ｎｏ）、電源制御部２２は、内蔵タイマの値が所定値（例えば数分程度を示す値）に達したか否かを判定する（Ｓ１０８）。内蔵タイマの値が所定値に達していない場合（Ｓ１０８：Ｎｏ）、電源制御部２２は、再びステップＳ１０５に示す処理を実行する。
【００３７】
一方、内蔵タイマの値が所定値に達した場合（Ｓ１０８：Ｙｅｓ）、電源制御部２２は、ＧｂＥＳＷ２４への電源供給を停止し、ＯＮＵ２０を省電力モードにする（Ｓ１０９）。そして、電源制御部２２は、内蔵タイマによるカウントを停止させ、再びステップＳ１００に示す処理を実行する。
【００３８】
以上、本発明の第１の実施形態について説明した。
【００３９】
上記説明から明らかなように、本実施形態のＯＮＵ２０によれば、ＯＬＴ１２からデータを受信しておらず、かつ、いずれの通信機器１８も稼動停止中の場合に、ＯＮＵ２０を省電力モードにするため、ＭＷＰＯＮシステム１０における消費電力を削減することができる。
【００４０】
次に、本発明の第２の実施形態について図面を参照しながら説明する。
【００４１】
図４は、第２の実施形態におけるＭＷＰＯＮシステム３０の構成の一例を示すシステム構成図である。本実施形態におけるＭＷＰＯＮシステム３０は、ＯＬＴ４０と、企業等の建物内に設けられる集線装置５０とを備える。
【００４２】
ＯＬＴ４０は、基幹回線１１から受け取ったデータを所定のタイムスロットにおいて所定の波長の光信号に変換し、変換した光信号を波長多重して光回線１５へ送出する。集線装置５０は、光回線１５を介して受信した光信号を多重分離し、それぞれの波長の光信号を電気信号に変換してデータに復号し、復号したデータをその宛先に従ってイーサネットＳＷ３１を介して社内ＬＡＮ３２へ送出する。
【００４３】
なお、本実施形態において、集線装置５０には、２種類の波長と２通りのタイムスロットを組み合わせることにより、４通りの方法でデータが伝送される。また、本実施形態では、それぞれの組み合わせにおける光信号では１Ｇｂｐｓの帯域でデータ伝送が可能であり、４通りの波長とタイムスロットの組み合わせを用いることにより、集線装置５０は最大４Ｇｂｐｓの帯域でデータを受信することができる。
【００４４】
しかし、データの伝送に使用される波長やタイムスロットの数はそれぞれ２つに限られず、それぞれ３つ以上であってもよい。また、波長およびタイムスロットのそれぞれの組み合わせによって提供される通信帯域も１Ｇｂｐｓに限定されず、１Ｇｂｐｓ未満であってもよく、１Ｇｂｐｓより大きくてもよい。
【００４５】
次に、ＯＬＴ４０の詳細について説明する。ＯＬＴ４０は、トラフィック測定部４１、帯域制御部４２、閾値格納部４３、信号変換部４４、および光カプラ４５を有する。
【００４６】
信号変換部４４は、帯域制御部４２から指示されたタイムスロットおよび波長の組み合わせに基づいて、基幹回線１１から受信したデータを、当該タイムスロットにおいて、当該波長の光信号に変換して光カプラ４５へ送る。光カプラ４５は、信号変換部４４から受け取ったそれぞれの波長の光信号を波長多重して光回線１５へ送出する。
【００４７】
トラフィック測定部４１は、基幹回線１１から集線装置５０へ送信される下り方向のデータについて、単位時間当たりに送信されるデータの総量を示す通信トラフィックを所定のタイミングで（例えば数秒毎に）測定し、測定した通信トラフィックの値を帯域制御部４２に通知する。
【００４８】
閾値格納部４３には、例えば図５に示すように、通信トラフィックの閾値４３０に対応付けて、トラフィック測定部４１によって測定された通信トラフィックが当該閾値４３０を超えた場合に追加し、トラフィック測定部４１によって測定された通信トラフィックが当該閾値４３０を下回った場合に使用を停止する波長およびタイムスロットの組み合わせについて、当該波長を識別する波長ＩＤ４３１および当該タイムスロットを識別するタイムスロットＩＤ４３２が予め格納されている。
【００４９】
本実施形態において、閾値「Ｔ1」の値は例えば０．８Ｇｂｐｓであり、閾値「Ｔ2」の値は例えば１．８Ｇｂｐｓであり、閾値「Ｔ3」の値は例えば２．８Ｇｂｐｓである。
【００５０】
帯域制御部４２は、トラフィック測定部４１から通信トラフィックの値を通知された場合に、閾値格納部４３を参照して、当該通信トラフィックにおいて追加または使用を停止すべき波長およびタイムスロットの組み合わせを特定する。
【００５１】
例えば、帯域制御部４２は、トラフィック測定部４１から今回通知された通信トラフィックと、トラフィック測定部４１から前回通知された通信トラフィックとを比較し、今回通知された通信トラフィックが閾値格納部４３に格納されているいずれかの閾値を超えた場合に、当該閾値に対応付けられている波長ＩＤおよびタイムスロットＩＤを閾値格納部４３から抽出する。
【００５２】
そして、帯域制御部４２は、抽出した波長ＩＤおよびタイムスロットＩＤの組み合わせに対応する波長およびタイムスロットの組み合わせをさらに用いて基幹回線１１から受信した電気信号を光信号に変換するよう信号変換部４４に指示を出す。そして、帯域制御部４２は、当該タイムスロットにおいて当該波長の光信号を用いて起動指示を集線装置５０へ送るよう信号変換部４４に指示する。
【００５３】
また、今回通知された通信トラフィックが閾値格納部４３に格納されているいずれかの閾値を下回った場合、帯域制御部４２は、当該閾値に対応付けられている波長ＩＤおよびタイムスロットＩＤを閾値格納部４３から抽出する。そして、帯域制御部４２は、抽出した波長ＩＤおよびタイムスロットＩＤの組み合わせに対応するタイムスロットにおいて、当該組み合わせに対応する波長の光信号を用いて停止指示を集線装置５０へ送るよう信号変換部４４に指示する。そして、帯域制御部４２は、当該組み合わせに対応する波長およびタイムスロットの使用を停止するよう信号変換部４４に指示する。
【００５４】
次に、集線装置５０について説明する。集線装置５０は、光カプラ５１および複数のＯＮＵ５２を有する。光カプラ５１は、光回線１５を介してＯＬＴ４０から受信した光信号をそれぞれの波長の光信号に多重分離し、それぞれの波長の光信号を、当該波長の光信号が割り当てられているＯＮＵ５２へ送る。
【００５５】
それぞれのＯＮＵ５２は、波長およびタイムスロットの組み合わせ毎に設けられている。本実施形態において、ＯＮＵ５２−１は、ＩＤが「Ｓ1」のタイムスロットにおいて、ＩＤが「λ1」の波長の光信号によって伝送されるデータを復号し、ＯＮＵ５２−２は、ＩＤが「Ｓ2」のタイムスロットにおいて、ＩＤが「λ1」の波長の光信号によって伝送されるデータを復号し、ＯＮＵ５２−３は、ＩＤが「Ｓ1」のタイムスロットにおいて、ＩＤが「λ2」の波長の光信号によって伝送されるデータを復号し、ＯＮＵ５２−４は、ＩＤが「Ｓ2」のタイムスロットにおいて、ＩＤが「λ2」の波長の光信号によって伝送されるデータを復号する。それぞれのＯＮＵ５２は、復号したデータをイーサネットＳＷ３１へ送出する。
【００５６】
また、それぞれのＯＮＵ５２は、自身に割り当てられたタイムスロットにおいて、自身に割り当てられた波長の光信号によって起動指示を受信した場合に、自身の省電力モードを解除し、停止指示を受信した場合に、自身を省電力モードに設定する。なお、本実施形態では、ＯＮＵ５２−１が省電力モードに設定されることはないが、他の形態として、集線装置５０内の全てのＯＮＵ５２がＯＬＴ４０からの停止指示によって省電力モードに設定されるようにしてもよい。
【００５７】
図６は、第２の実施形態における各ＯＮＵ５２の詳細な機能構成の一例を示すブロック図である。ＯＮＵ５２は、光電変換部（Ｏ／Ｅ）５２０、電源制御部５２１、ＯＮＵＬＳＩ５２２、および物理コネクタ（ＰＨＹ）５２３を有する。なお、本実施形態では、ＯＮＵ５２−１は省電力モードに設定されることはないため、ＯＮＵ５２−１には電源制御部５２１が設けられていなくてもよい。
【００５８】
Ｏ／Ｅ５２０は、光カプラ５１から受信した波長の光信号を電気信号に変換する。ＯＮＵＬＳＩ５２２は、自ＯＮＵ５２に予め定められたタイムスロットにおいて、Ｏ／Ｅ５２０によって変換された電気信号からデータを復号し、復号したデータをＰＨＹ５２３へ送る。また、ＯＮＵＬＳＩ５２２は、復号したデータに起動指示または停止指示が含まれる場合、これらの情報を電源制御部５２１へ送る。
【００５９】
ＰＨＹ５２３は、電源が供給されている場合に、ＯＮＵＬＳＩ５２２から受け取ったデータをイーサネットＳＷ３１へ送出する。電源制御部５２１は、ＯＮＵＬＳＩ５２２から停止指示を受け取った場合に、ＰＨＹ５２３への電源供給を停止することにより、ＯＮＵ５２を省電力モードにする。また、ＯＮＵＬＳＩ５２２から起動指示を受け取った場合、電源制御部５２１は、ＰＨＹ５２３への電源供給を再開することにより、ＯＮＵ５２の省電力モードを解除する。
【００６０】
なお、本実施形態において、電源制御部５２１は、ＰＨＹ５２３への電源供給を制御することによりＯＮＵ５２の省電力モードを制御するが、本発明はこれに限られず、ＯＮＵ５２内のＣＰＵをスリープモードにするなど、他の方法によってＯＮＵ５２の消費電力を制御することにより、ＯＮＵ５２の省電力モードを制御するようにしてもよい。
【００６１】
図７は、第２の実施形態における帯域制御部４２の動作の一例を示すフローチャートである。例えば、ＯＬＴ４０に所定の設定が施された後に電源が投入される等のタイミングで、帯域制御部４２は、本フローチャートに示す動作を開始する。なお、初期状態において、ＯＬＴ４０は、ＩＤが「Ｓ1」のタイムスロットにおいて、ＩＤが「λ1」の波長の光信号による通信帯域を提供しており、基幹回線１１から集線装置５０へデータが伝送されてしないものとする。
【００６２】
まず、帯域制御部４２は、トラフィック測定部４１によって測定された通信トラフィックを取得し、トラフィック測定部４１によって前回測定された通信トラフィックと比較して、今回の通信トラフィックが閾値Ｔ1を越えたか否かを判定する（Ｓ２００）。今回の通信トラフィックが閾値Ｔ1を越えていない場合（Ｓ２００：Ｎｏ）、帯域制御部４２は、今回の通信トラフィックをメモリに保持し、再びステップＳ２００に示す処理を実行する。なお、メモリには、前回の通信トラフィックの初期値として例えば０ｂｐｓが設定されている。
【００６３】
一方、今回の通信トラフィックが閾値Ｔ1を越えた場合（Ｓ２００：Ｙｅｓ）、帯域制御部４２は、今回の通信トラフィックをメモリに保持し、閾値Ｔ1に対応付けられている波長ＩＤおよびタイムスロットＩＤを閾値格納部４３から抽出する。図５の例では、帯域制御部４２は、波長ＩＤとして「λ1」を、タイムスロットＩＤとして「Ｓ2」を、それぞれ抽出する。
【００６４】
そして、帯域制御部４２は、抽出した波長ＩＤ「λ1」に対応する波長および抽出したタイムスロットＩＤ「Ｓ2」に対応するタイムスロットの組み合わせをさらに用いて基幹回線１１から受信した電気信号を光信号に変換するよう信号変換部４４に指示を出す。（Ｓ２０１）。そして、帯域制御部４２は、当該タイムスロットにおいて、当該波長の光信号を用いて起動指示を集線装置５０へ送るよう信号変換部４４に指示する（Ｓ２０２）。
【００６５】
次に、帯域制御部４２は、トラフィック測定部４１によって次に測定された通信トラフィックを取得し、前回の通信トラフィックと比較して、今回の通信トラフィックが閾値Ｔ2を越えたか否かを判定する（Ｓ２０３）。今回の通信トラフィックが閾値Ｔ2を越えた場合（Ｓ２０３：Ｙｅｓ）、帯域制御部４２は、今回の通信トラフィックをメモリに保持し、閾値Ｔ2に対応付けられている波長ＩＤおよびタイムスロットＩＤを閾値格納部４３から抽出する。図５の例では、帯域制御部４２は、波長ＩＤとして「λ2」を、タイムスロットＩＤとして「Ｓ1」を、それぞれ抽出する。
【００６６】
そして、帯域制御部４２は、抽出した波長ＩＤ「λ2」に対応する波長および抽出したタイムスロットＩＤ「Ｓ1」に対応するタイムスロットの組み合わせをさらに用いて基幹回線１１から受信した電気信号を光信号に変換するよう信号変換部４４に指示を出す（Ｓ２０４）。そして、帯域制御部４２は、当該タイムスロットにおいて、当該波長の光信号を用いて起動指示を集線装置５０へ送るよう信号変換部４４に指示し（Ｓ２０５）、ステップＳ２０９に示す処理を実行する。
【００６７】
一方、ステップＳ２０３において、今回の通信トラフィックが閾値Ｔ2を越えていない場合（Ｓ２０３：Ｎｏ）、帯域制御部４２は、今回の通信トラフィックをメモリに保持し、トラフィック測定部４１によって次に測定された通信トラフィックを取得する。そして、帯域制御部４２は、取得した今回の通信トラフィックと前回の通信トラフィックとを比較して、今回の通信トラフィックが閾値Ｔ1以下になったか否かを判定する（Ｓ２０６）。
【００６８】
今回の通信トラフィックが閾値Ｔ1以下になっていない場合（Ｓ２０６：Ｎｏ）、帯域制御部４２は、今回の通信トラフィックをメモリに保持し、再びステップＳ２０３に示した処理を実行する。一方、今回の通信トラフィックが閾値Ｔ1以下になった場合（Ｓ２０６：Ｙｅｓ）、帯域制御部４２は、今回の通信トラフィックをメモリに保持し、閾値Ｔ1に対応付けられている波長ＩＤおよびタイムスロットＩＤを閾値格納部４３から抽出する。
【００６９】
そして、帯域制御部４２は、抽出したタイムスロットＩＤに対応するタイムスロットにおいて、抽出した波長ＩＤに対応する波長の光信号を用いて停止指示を集線装置５０へ送るよう信号変換部４４に指示する（Ｓ２０７）。そして、帯域制御部４２は、当該タイムスロットおよび波長の組み合わせの使用を停止するよう信号変換部４４に指示し（Ｓ２０８）、再びステップＳ２００に示す処理を実行する。
【００７０】
ステップＳ２０５を実行した後、帯域制御部４２は、トラフィック測定部４１によって次に測定された通信トラフィックを取得し、前回の通信トラフィックと比較して、今回の通信トラフィックが閾値Ｔ3を越えたか否かを判定する（Ｓ２０９）。今回の通信トラフィックが閾値Ｔ3を越えていない場合（Ｓ２０９：Ｎｏ）、帯域制御部４２は、今回の通信トラフィックをメモリに保持し、トラフィック測定部４１によって次に測定された通信トラフィックを取得する。
【００７１】
そして、帯域制御部４２は、取得した通信トラフィックと前回の通信トラフィックとを比較して、今回の通信トラフィックが閾値Ｔ2以下になったか否かを判定する（Ｓ２１５）。今回の通信トラフィックが閾値Ｔ2以下になっていない場合（Ｓ２１５：Ｎｏ）、帯域制御部４２は、今回の通信トラフィックをメモリに保持し、再びステップＳ２０９に示した処理を実行する。一方、今回の通信トラフィックが閾値Ｔ2以下になった場合（Ｓ２１５：Ｙｅｓ）、帯域制御部４２は、今回の通信トラフィックをメモリに保持し、閾値Ｔ2に対応付けられている波長ＩＤおよびタイムスロットＩＤを閾値格納部４３から抽出する。
【００７２】
そして、帯域制御部４２は、抽出したタイムスロットＩＤに対応するタイムスロットにおいて、抽出した波長ＩＤに対応する波長の光信号を用いて停止指示を集線装置５０へ送るよう信号変換部４４に指示する（Ｓ２１６）。そして、帯域制御部４２は、当該タイムスロットおよび波長の組み合わせの使用を停止するよう信号変換部４４に指示し（Ｓ２１７）、再びステップＳ２０３に示す処理を実行する。
【００７３】
一方、ステップＳ２０９において、今回の通信トラフィックが閾値Ｔ3を越えた場合（Ｓ２０９：Ｙｅｓ）、帯域制御部４２は、今回の通信トラフィックをメモリに保持し、閾値Ｔ3に対応付けられている波長ＩＤおよびタイムスロットＩＤを閾値格納部４３から抽出する。図５の例では、帯域制御部４２は、波長ＩＤとして「λ2」を、タイムスロットＩＤとして「Ｓ2」を、それぞれ抽出する。
【００７４】
そして、帯域制御部４２は、抽出した波長ＩＤ「λ2」に対応する波長および抽出したタイムスロットＩＤ「Ｓ2」に対応するタイムスロットの組み合わせをさらに用いて基幹回線１１から受信した電気信号を光信号に変換するよう信号変換部４４に指示を出す（Ｓ２１０）。そして、帯域制御部４２は、当該タイムスロットにおいて、当該波長の光信号を用いて起動指示を集線装置５０へ送るよう信号変換部４４に指示する（Ｓ２１１）。
【００７５】
次に、帯域制御部４２は、今回の通信トラフィックをメモリに保持し、トラフィック測定部４１によって次に測定された通信トラフィックを取得する。そして、帯域制御部４２は、取得した通信トラフィックと前回の通信トラフィックとを比較して、今回の通信トラフィックが閾値Ｔ3以下になったか否かを判定する（Ｓ２１２）。
【００７６】
今回の通信トラフィックが閾値Ｔ3以下になっていない場合（Ｓ２１２：Ｎｏ）、帯域制御部４２は、今回の通信トラフィックをメモリに保持し、再びステップＳ２１２に示した処理を実行する。一方、今回の通信トラフィックが閾値Ｔ3以下になった場合（Ｓ２１２：Ｙｅｓ）、帯域制御部４２は、今回の通信トラフィックをメモリに保持し、閾値Ｔ3に対応付けられている波長ＩＤおよびタイムスロットＩＤを閾値格納部４３から抽出する。
【００７７】
そして、帯域制御部４２は、抽出したタイムスロットＩＤに対応するタイムスロットにおいて、抽出した波長ＩＤに対応する波長の光信号を用いて停止指示を集線装置５０へ送るよう信号変換部４４に指示する（Ｓ２１３）。そして、帯域制御部４２は、当該タイムスロットおよび波長の組み合わせの使用を停止するよう信号変換部４４に指示し（Ｓ２１４）、再びステップＳ２０９に示す処理を実行する。
【００７８】
図８は、第２の実施形態における各ＯＮＵ５２内の電源制御部５２１の動作の一例を示すフローチャートである。例えば、所定の設定が施された後にＯＮＵ５２に電源が投入される等のタイミングで、各ＯＮＵ５２内の電源制御部５２１は、本フローチャートに示す動作を開始する。なお、なお、ＯＮＵ５２の初期状態において、ＰＨＹ５２３には電源が供給されておらず、ＯＮＵ５２は省電力モードで動作している。
【００７９】
まず、電源制御部５２１は、ＯＮＵＬＳＩ５２２を介してＯＬＴ４０から起動指示を受信したか否かを判定する（Ｓ３００）。ＯＬＴ４０から起動指示を受信した場合（Ｓ３００：Ｙｅｓ）、電源制御部５２１は、ＰＨＹ５２３への電源供給を開始することにより、ＯＮＵ５２の省電力モードを解除し（Ｓ３１０）、再びステップＳ３００に示した処理を実行する。
【００８０】
一方、ＯＬＴ４０から起動指示を受信していない場合（Ｓ３００：Ｎｏ）、電源制御部５２１は、ＯＮＵＬＳＩ５２２を介してＯＬＴ４０から停止指示を受信したか否かを判定する（Ｓ３０２）。ＯＬＴ４０から停止指示を受信していない場合（Ｓ３０２：Ｎｏ）、電源制御部５２１は、再びステップＳ３００に示した処理を実行する。
【００８１】
一方、ＯＬＴ４０から停止指示を受信した場合（Ｓ３０２：Ｙｅｓ）、電源制御部５２１は、ＰＨＹ５２３への電源供給を停止することにより、ＯＮＵ５２を省電力モードにし（Ｓ３０３）、再びステップＳ３００に示した処理を実行する。
【００８２】
以上、本発明の第２の実施形態について説明した。
【００８３】
上記説明から明らかなように、本実施形態のＭＷＰＯＮシステム３０によれば、現在の通信トラフィックに応じて不要なＯＮＵ５２を省電力モードに設定するため、ＭＷＰＯＮシステム３０における消費電力を削減することができる。
【００８４】
次に、本発明の第３の実施形態について図面を参照しながら説明する。
【００８５】
図９は、第３の実施形態におけるＭＷＰＯＮシステム３０の構成の一例を示すシステム構成図である。本実施形態におけるＭＷＰＯＮシステム３０は、ＯＬＴ４０と、企業等の建物内に設けられる集線装置５０とを備える。なお、本実施形態におけるＭＷＰＯＮシステム３０は、以下に説明する点を除き、図４を用いて説明した第２の実施形態におけるＭＷＰＯＮシステム３０と同様の構成であるため説明を省略する。
【００８６】
ＯＬＴ４０内の帯域制御部４２は、トラフィック測定部４１から通信トラフィックの値を通知された場合に、トラフィック測定部４１から今回通知された通信トラフィックと、トラフィック測定部４１から前回通知された通信トラフィックとを比較し、今回の通信トラフィックが閾値格納部４３に格納されているいずれかの閾値を超えた場合に、当該閾値に対応付けられている波長ＩＤおよびタイムスロットＩＤを閾値格納部４３から抽出する。
【００８７】
そして、帯域制御部４２は、予め定められたタイムスロットにおいて、予め定められた波長の光信号により、抽出したタイムスロットＩＤおよび波長ＩＤを含む追加情報を送るよう信号変換部４４に指示する。そして、帯域制御部４２は、抽出した波長ＩＤおよびタイムスロットＩＤの組み合わせに対応する波長およびタイムスロットの組み合わせをさらに用いて、基幹回線１１から受信した電気信号を光信号に変換するよう信号変換部４４に指示を出す。
【００８８】
また、トラフィック測定部４１から今回通知された通信トラフィックが閾値格納部４３に格納されているいずれかの閾値を下回った場合、帯域制御部４２は、当該閾値に対応付けられている波長ＩＤおよびタイムスロットＩＤを閾値格納部４３から抽出する。
【００８９】
そして、帯域制御部４２は、予め定められたタイムスロットにおいて、予め定められた波長の光信号により、抽出したタイムスロットＩＤおよび波長ＩＤを含む停止情報を送るよう信号変換部４４に指示する。そして、帯域制御部４２は、抽出した波長ＩＤおよびタイムスロットＩＤの組み合わせに対応する波長およびタイムスロットの使用を停止するよう信号変換部４４に指示する。
【００９０】
集線装置５０は、光カプラ５１、複数のＯＮＵ５３、およびＯＮＵ制御部５４を備える。それぞれのＯＮＵ５３は、波長およびタイムスロットの組み合わせ毎に設けられている。本実施形態において、ＯＮＵ５３−１は、ＩＤが「Ｓ1」のタイムスロットにおいて、ＩＤが「λ1」の波長の光信号によって伝送されるデータを復号し、ＯＮＵ５３−２は、ＩＤが「Ｓ2」のタイムスロットにおいて、ＩＤが「λ1」の波長の光信号によって伝送されるデータを復号し、ＯＮＵ５３−３は、ＩＤが「Ｓ1」のタイムスロットにおいて、ＩＤが「λ2」の波長の光信号によって伝送されるデータを復号し、ＯＮＵ５３−４は、ＩＤが「Ｓ2」のタイムスロットにおいて、ＩＤが「λ2」の波長の光信号によって伝送されるデータを復号する。それぞれのＯＮＵ５３は、復号したデータをイーサネットＳＷ３１へ送出する。
【００９１】
また、ＯＮＵ５３−２から４のそれぞれは、ＯＮＵ制御部５４から起動指示を受信した場合に、自身の省電力モードを解除し、ＯＮＵ制御部５４から停止指示を受信した場合に、自身を省電力モードに設定する。なお、本実施形態において、ＯＮＵ５３−１は、ＯＬＴ４０から送信される追加情報および停止情報を受信する役割を担っており、省電力モードに設定されることはない。
【００９２】
ＯＮＵ５３−１は、例えば図１０に示すように、光電変換部（Ｏ／Ｅ）５３０、ＯＮＵＬＳＩ５３１、および物理コネクタ（ＰＨＹ）５３２を有する。Ｏ／Ｅ５３０は、光カプラ５１から受信した波長の光信号を電気信号に変換する。
【００９３】
ＯＮＵＬＳＩ５３１は、自ＯＮＵ５３に予め定められたタイムスロットにおいて、Ｏ／Ｅ５３０によって変換された電気信号からデータを復号し、復号したデータをＰＨＹ５３２を介してイーサネットＳＷ３１へ送る。また、ＯＮＵＬＳＩ５３１は、復号したデータに追加情報または停止情報が含まれる場合、これらの情報をＯＮＵ制御部５４へ送る。
【００９４】
ＯＮＵ５３−２から４は、例えば図１１に示すように、個別電源制御部５３３、光電変換部（Ｏ／Ｅ）５３４、ＯＮＵＬＳＩ５３５、および物理コネクタ（ＰＨＹ）５３６を有する。Ｏ／Ｅ５３４は、光カプラ５１から受信した波長の光信号を電気信号に変換する。ＯＮＵＬＳＩ５３５は、自ＯＮＵ５３に予め定められたタイムスロットにおいて、Ｏ／Ｅ５３４によって変換された電気信号からデータを復号し、復号したデータをＰＨＹ５３６を介してイーサネットＳＷ３１へ送る。
【００９５】
個別電源制御部５３３は、ＯＮＵ制御部５４から停止指示を受信した場合に、Ｏ／Ｅ５３４、ＯＮＵＬＳＩ５３５、およびＰＨＹ５３６への電源供給を停止することにより、自身ＯＮＵ５３を省電力モードに設定する。また、個別電源制御部５３３は、ＯＮＵ制御部５４から起動指示を受信した場合に、Ｏ／Ｅ５３４、ＯＮＵＬＳＩ５３５、およびＰＨＹ５３６への電源供給を再開することにより、自身ＯＮＵ５３の省電力モードを解除する。
【００９６】
なお、本実施形態において、個別電源制御部５３３は、Ｏ／Ｅ５３４、ＯＮＵＬＳＩ５３５、およびＰＨＹ５３６への電源供給を制御することによりＯＮＵ５３の省電力モードを制御するが、本発明はこれに限られず、ＯＮＵ５３内のＣＰＵをスリープモードにするなど、他の方法によってＯＮＵ５３の消費電力を制御することにより、ＯＮＵ５３の省電力モードを制御するようにしてもよい。
【００９７】
ＯＮＵ制御部５４は、例えば図１２に示すように、ＯＮＵ情報格納部５４０および制御信号送信部５４１を有する。ＯＮＵ情報格納部５４０には、例えば図１３に示すように、それぞれのＯＮＵ５３を識別する機器ＩＤ５４００に対応付けて、当該ＯＮＵ５３に割り当てられている波長の波長ＩＤ５４０１、および、当該ＯＮＵ５３に割り当てられているタイムスロットのタイムスロットＩＤ５４０２が予め格納されている。
【００９８】
制御信号送信部５４１は、ＯＮＵ５３−１から追加情報を受け取った場合に、当該追加情報に含まれている波長ＩＤおよびタイムスロットＩＤに対応付けられているＯＮＵ５３の機器ＩＤをＯＮＵ情報格納部５４０から抽出し、抽出した機器ＩＤに対応するＯＮＵ５３へ起動指示を送信する。
【００９９】
また、ＯＮＵ５３−１から停止情報を受け取った場合、制御信号送信部５４１は、当該停止情報に含まれている波長ＩＤおよびタイムスロットＩＤに対応付けられているＯＮＵ５３の機器ＩＤをＯＮＵ情報格納部５４０から抽出し、抽出した機器ＩＤに対応するＯＮＵ５３へ停止指示を送信する。
【０１００】
図１４は、第３の実施形態における帯域制御部４２の動作の一例を示すフローチャートである。例えば、ＯＬＴ４０に所定の設定が施された後に電源が投入される等のタイミングで、帯域制御部４２は、本フローチャートに示す動作を開始する。なお、初期状態において、ＯＬＴ４０は、ＩＤが「Ｓ1」のタイムスロットにおいて、ＩＤが「λ1」の波長の光信号による通信帯域を提供しており、基幹回線１１から集線装置５０へデータが伝送されてしないものとする。また、本フローチャートにおいて、図７に示したフローチャートと同一の符号を付した処理は、以下に説明する点を除き、図７のフローチャートにおける処理と同様であるため、説明を省略する。
【０１０１】
ステップＳ２００において、トラフィック測定部４１によって今回測定された通信トラフィックが閾値Ｔ1を越えた場合（Ｓ２００：Ｙｅｓ）、帯域制御部４２は、今回の通信トラフィックをメモリに保持し、閾値Ｔ1に対応付けられている波長ＩＤおよびタイムスロットＩＤを閾値格納部４３から抽出する。図５の例では、帯域制御部４２は、波長ＩＤとして「λ1」を、タイムスロットＩＤとして「Ｓ2」を、それぞれ抽出する。
【０１０２】
そして、帯域制御部４２は、抽出した波長ＩＤ「λ1」およびタイムスロットＩＤ「Ｓ2」を含む追加情報を、所定のタイムスロットにおいて所定の波長の光信号により集線装置５０へ送るよう信号変換部４４に指示する（Ｓ２２０）。ここで、本実施形態において、追加情報および停止情報が送信されるタイムスロットのＩＤは「Ｓ1」であり波長のＩＤは「λ1」である。
【０１０３】
そして、帯域制御部４２は、抽出した波長ＩＤ「λ1」に対応する波長および抽出したタイムスロットＩＤ「Ｓ2」に対応するタイムスロットの組み合わせをさらに用いて基幹回線１１から受信した電気信号を光信号に変換するよう信号変換部４４に指示を出す（Ｓ２０１）。
【０１０４】
ステップＳ２０３において、トラフィック測定部４１によって今回測定された通信トラフィックが閾値Ｔ2を越えた場合（Ｓ２０３：Ｙｅｓ）、帯域制御部４２は、今回の通信トラフィックをメモリに保持し、閾値Ｔ2に対応付けられている波長ＩＤおよびタイムスロットＩＤを閾値格納部４３から抽出する。図５の例では、帯域制御部４２は、波長ＩＤとして「λ2」を、タイムスロットＩＤとして「Ｓ1」を、それぞれ抽出する。
【０１０５】
そして、帯域制御部４２は、抽出した波長ＩＤ「λ2」およびタイムスロットＩＤ「Ｓ1」を含む追加情報を、所定のタイムスロットにおいて所定の波長の光信号により集線装置５０へ送るよう信号変換部４４に指示する（Ｓ２２１）。そして、帯域制御部４２は、当該波長ＩＤ「λ2」に対応する波長および当該タイムスロットＩＤ「Ｓ1」に対応するタイムスロットの組み合わせをさらに用いて基幹回線１１から受信した電気信号を光信号に変換するよう信号変換部４４に指示を出す（Ｓ２０４）。
【０１０６】
ステップＳ２０６において、トラフィック測定部４１によって今回測定された通信トラフィックが閾値Ｔ1以下となった場合（Ｓ２０６：Ｙｅｓ）、帯域制御部４２は、今回の通信トラフィックをメモリに保持し、閾値Ｔ1に対応付けられている波長ＩＤ「λ1」およびタイムスロットＩＤ「Ｓ2」を閾値格納部４３から抽出する。
【０１０７】
そして、帯域制御部４２は、抽出した波長ＩＤ「λ1」およびタイムスロットＩＤ「Ｓ2」を含む停止情報を、所定のタイムスロットにおいて所定の波長の光信号により集線装置５０へ送るよう信号変換部４４に指示する（Ｓ２２２）。そして、帯域制御部４２は、当該波長ＩＤ「λ1」に対応する波長および当該タイムスロットＩＤ「Ｓ2」に対応するタイムスロットの組み合わせの使用を停止するよう信号変換部４４に指示を出す（Ｓ２０８）。
【０１０８】
ステップＳ２０９において、トラフィック測定部４１によって今回測定された通信トラフィックが閾値Ｔ3を越えた場合（Ｓ２０９：Ｙｅｓ）、帯域制御部４２は、今回の通信トラフィックをメモリに保持し、閾値Ｔ3に対応付けられている波長ＩＤおよびタイムスロットＩＤを閾値格納部４３から抽出する。図５の例では、帯域制御部４２は、波長ＩＤとして「λ2」を、タイムスロットＩＤとして「Ｓ2」を、それぞれ抽出する。
【０１０９】
そして、帯域制御部４２は、抽出した波長ＩＤ「λ2」およびタイムスロットＩＤ「Ｓ2」を含む追加情報を、所定のタイムスロットにおいて所定の波長の光信号により集線装置５０へ送るよう信号変換部４４に指示する（Ｓ２２３）。そして、帯域制御部４２は、当該波長ＩＤ「λ2」に対応する波長および当該タイムスロットＩＤ「Ｓ2」に対応するタイムスロットの組み合わせをさらに用いて基幹回線１１から受信した電気信号を光信号に変換するよう信号変換部４４に指示を出す（Ｓ２１０）。
【０１１０】
ステップＳ２１２において、トラフィック測定部４１によって今回測定された通信トラフィックが閾値Ｔ3以下となった場合（Ｓ２１２：Ｙｅｓ）、帯域制御部４２は、今回の通信トラフィックをメモリに保持し、閾値Ｔ3に対応付けられている波長ＩＤ「λ2」およびタイムスロットＩＤ「Ｓ2」を閾値格納部４３から抽出する。
【０１１１】
そして、帯域制御部４２は、抽出した波長ＩＤ「λ2」およびタイムスロットＩＤ「Ｓ2」を含む停止情報を、所定のタイムスロットにおいて所定の波長の光信号により集線装置５０へ送るよう信号変換部４４に指示する（Ｓ２２４）。そして、帯域制御部４２は、当該波長ＩＤ「λ2」に対応する波長および当該タイムスロットＩＤ「Ｓ2」に対応するタイムスロットの組み合わせの使用を停止するよう信号変換部４４に指示を出す（Ｓ２１４）。
【０１１２】
ステップＳ２１５において、トラフィック測定部４１によって今回測定された通信トラフィックが閾値Ｔ2以下となった場合（Ｓ２１５：Ｙｅｓ）、帯域制御部４２は、今回の通信トラフィックをメモリに保持し、閾値Ｔ2に対応付けられている波長ＩＤ「λ2」およびタイムスロットＩＤ「Ｓ1」を閾値格納部４３から抽出する。
【０１１３】
そして、帯域制御部４２は、抽出した波長ＩＤ「λ2」およびタイムスロットＩＤ「Ｓ1」を含む停止情報を、所定のタイムスロットにおいて所定の波長の光信号により集線装置５０へ送るよう信号変換部４４に指示する（Ｓ２２５）。そして、帯域制御部４２は、当該波長ＩＤ「λ2」に対応する波長および当該タイムスロットＩＤ「Ｓ1」に対応するタイムスロットの組み合わせの使用を停止するよう信号変換部４４に指示を出す（Ｓ２１７）。
【０１１４】
図１５は、ＯＮＵ制御部５４の動作の一例を示すフローチャートである。例えば、集線装置５０に所定の設定が施された後に電源が投入される等のタイミングで、ＯＮＵ制御部５４は本フローチャートに示す動作を開始する。
【０１１５】
まず、制御信号送信部５４１は、ＯＮＵ５３−１から追加情報を受信したか否かを判定する（Ｓ４００）。追加情報を受信した場合（Ｓ４００：Ｙｅｓ）、制御信号送信部５４１は、ＯＮＵ制御部５４を参照して、当該追加情報に含まれている波長ＩＤおよびタイムスロットＩＤに対応するＯＮＵ５３の機器ＩＤを特定する（Ｓ４０１）。そして、制御信号送信部５４１は、特定した機器ＩＤに対応するＯＮＵ５３へ起動指示を送信し（Ｓ４０２）、再びステップＳ４００に示した処理を実行する。
【０１１６】
ステップＳ４００において追加情報を受信していない場合（Ｓ４００：Ｎｏ）、制御信号送信部５４１は、ＯＮＵ５３−１から停止情報を受信したか否かを判定する（Ｓ４０３）。停止情報を受信していない場合（Ｓ４０３：Ｎｏ）、制御信号送信部５４１は、再びステップＳ４００に示した処理を実行する。
【０１１７】
一方、停止情報を受信した場合（Ｓ４０３：Ｙｅｓ）、制御信号送信部５４１は、ＯＮＵ制御部５４を参照して、当該停止情報に含まれている波長ＩＤおよびタイムスロットＩＤに対応するＯＮＵ５３の機器ＩＤを特定する（Ｓ４０４）。そして、制御信号送信部５４１は、特定した機器ＩＤに対応するＯＮＵ５３へ停止指示を送信し（Ｓ４０５）、再びステップＳ４００に示した処理を実行する。
【０１１８】
以上、本発明の第３の実施形態について説明した。
【０１１９】
上記説明から明らかなように、本実施形態のＭＷＰＯＮシステム３０によれば、現在の通信トラフィックに応じて不要なＯＮＵ５２を省電力モードに設定するため、ＭＷＰＯＮシステム３０における消費電力を削減することができる。
【０１２０】
なお、本発明は、上記した実施形態に限定されるものではなく、その要旨の範囲内で数々の変形が可能である。
【０１２１】
例えば、上記した第２または第３の実施形態では、基幹回線１１から集線装置５０へ送信されるいわゆる下り方向の通信トラフィックに基づいて各ＯＮＵの省電力モードを制御したが、本発明はこれに限られず、さらに上り方向の通信トラフィックも考慮して各ＯＮＵの省電力モードを制御するようにしてもよい。
【符号の説明】
【０１２２】
１０・・・ＭＷＰＯＮシステム、１１・・・基幹回線、１２・・・ＯＬＴ、１３・・・ＰＯＮカード、１４・・・光カプラ、１５・・・光回線、１６・・・光カプラ、１７・・・ユーザ宅、１８・・・通信機器、２０・・・ＯＮＵ、２１・・・Ｏ／Ｅ、２２・・・電源制御部、２３・・・ＯＮＵＬＳＩ、２４・・・ＧｂＥＳＷ、２５・・・ＰＨＹ、３０・・・ＭＷＰＯＮシステム、３１・・・イーサネットＳＷ、３２・・・社内ＬＡＮ、４０・・・ＯＬＴ、４１・・・トラフィック測定部、４２・・・帯域制御部、４３・・・閾値格納部、４４・・・信号変換部、４５・・・光カプラ、５０・・・集線装置、５１・・・光カプラ、５２・・・ＯＮＵ、５３・・・ＯＮＵ、５４・・・電源制御部、５４０・・・ＯＮＵ情報格納部、５４１・・・制御信号送信部
【図１】
2012015962.tif 000003
【図２】
2012015962.tif 000004
【図３】
2012015962.tif 000005
【図４】
2012015962.tif 000006
【図５】
2012015962.tif 000007
【図６】
2012015962.tif 000008
【図７】
2012015962.tif 000009
【図８】
2012015962.tif 000010
【図９】
2012015962.tif 000011
【図１０】
2012015962.tif 000012
【図１１】
2012015962.tif 000013
【図１２】
2012015962.tif 000014
【図１３】
2012015962.tif 000015
【図１４】
2012015962.tif 000016
【図１５】
2012015962.tif 000017